(57)【要約】【課題】 半導体デバイスなどの空冷ファンモーターの耐久性向上。【解決手段】  ファン台１、ファン羽組２、モーター組３からなり、ファン羽組はファン羽２１、軸心２２、モーター２３、棒状磁石２４より構成し、モーター組は絶縁フレーム３１、珪素鋼片３２、回路板３３、コイル３４より構成する。絶縁フレーム間には珪素鋼片を環状に設置し、コイルを巻き、絶縁フレームの一端に回路板を設置し、ファン台の軸台内にボールベアリングを嵌設し、ボールベアリング内にファン羽組の軸心を設置する。ファン台の軸台１１に中空環状溝１１１を設置し、環状溝内にガードリング１４を嵌入して軸台の外環１１２を支えてファンの長期運転による軸台軟化変形を防止する。【選択図】図３
0003128327.tif 000002
【実用新案登録請求の範囲】
【請求項１】
ファン台、ファン羽組及びモーター組からなり、
該ファン羽組は、ファン羽、軸心、モーター及び棒状磁石により構成し、該ファン羽中心には軸心を設置し、その内部にはモーターを収容し、該モーター内には棒状磁石を設置し、
該モーター組は、絶縁フレーム、珪素鋼片、回路板及びコイルにより構成し、該絶縁フレーム間には珪素鋼片を環状に設置し、コイルを巻き設置し、該絶縁フレームの一端には回路板を設置し、
該ファンの中心には軸台を設置し、その内にはボールベアリングを嵌設し、該ボールベアリング内にはファン羽組の軸心を設置し、バネにより上方へと圧迫し固定し、その外縁はモーター組の絶縁フレームに嵌設し、
該ファン台の軸台上には中空環状溝を設置し、該環状溝内にはガードリングを嵌入して該軸台の外環を支え、該ガードリングが該軸台の外環を支えることにより、ファンの長期運転により軸台が軟化変形することを防止した、
ことを特徴とするファンモーター。
【考案の詳細な説明】
【技術分野】
【０００１】
本考案は、半導体デバイスなどの冷却用空冷ファンモーターの構造に関する。特にファン台、ファン羽組及びモーター組をからなり、該ファン羽組はファン羽、軸心、モーター及び棒状磁石により構成し、該ファン羽中心には軸心を設置し、その内部にはモーターを収容し、該モーター内には棒状磁石を設置し、該モーター組は絶縁フレーム、珪素鋼片、回路板及びコイルにより構成し、該絶縁フレーム間には珪素鋼片を環状に設置し、コイルを巻き設置し、しかも該絶縁フレームの一端には回路板を設置し、該ファン台の軸台内にはボールベアリングを嵌設し、該ボールベアリング内にはファン羽組の軸心を設置し、嵌合部品により固定し、その外縁はモーター組の絶縁フレームに嵌設し、該ファン台の軸台上には中空環状溝を設置し、該環状溝内にはガードリングを嵌入し、該軸台の外環を支え、該ガードリングが該軸台の外環を支えることにより、ファンの長期運転により軸台が軟化変形することを防止し、こうしてモーター組は偏り或いは脱落の恐れがなくなるファンモーターの構造に係る。
【背景技術】
【０００２】
コンピュータは既に現代人或いは会社にとって欠くべからざる設備である。コンピュータCPUの動作速度は使用者が重視するものであるが、CPU、プリンター或いはチップ等構成部品の動作速度の向上に伴って、発生熱量の増大から過熱を招き、CPU或いはチップ等構成部品をショートさせてしまう。
よってCPUの温度を効果的に低下させるため、CPU上にはアルミプレス型放熱片及びファンを設置して放熱を行うが、CPU動作速度のさらなる向上に伴い、ファンの回転速度をも向上させて、これにより迅速放熱の性能を達成する。
しかし、公知のファンは図１に示すように、そのファン固定台1′の軸台11′上にはモーター組3′を嵌設してファン羽組2′と構成する放熱ファンの構造は、ファンの長期にわたる運転で軟化変形して内側に向かい湾曲し易い。これにより軸廻りの回転の障害となり、さらにはモーター組の脱落を引き起こす恐れさえある。
また図２に示す構造では、ファン台1′中心に銅軸台11′を設置し、軸心及びボールベアリングを嵌設するが、その銅軸台11′の重量は重く組立ては困難で、コストを増大させてしまう。
【特許文献１】特開２００６−１７７３２５号公報
【考案の開示】
【考案が解決しようとする課題】
【０００３】
公知構造には以下の欠点があった。
すなわち公知の放熱ファンの構造は、長期間の運転により軟化変形し内側に向かい湾曲し易いため、軸周りの回転の障害となり、またモーター組の脱落を引き起こす恐れさえある。さらに銅軸台を設置する構造では該銅軸台が重く組立てが困難であるため、コストを増大させてしまうという欠点がある。
本考案は上記構造の問題点を解決したファンモーターの構造を提供するものである。
【課題を解決するための手段】
【０００４】
上記課題を解決するため、本考案は下記のファンモーターの構造を提供する。
ファンモーターの構造において、ファン台中心の軸台内には中空環状溝を設置し、該環状溝内にはガードリングを嵌入し、該軸台の外環を支え、該ガードリングが該軸台の外環を支えることにより、ファンの長期運転により軸台が軟化変形することを防止し、モーター組は偏り或いは脱落の恐れはなく、ファンの重量を低減可能で、しかも組み立ては容易で、生産効率を向上させ生産コストを低下させることができ、
すなわちそれは軸台上には中空環状溝を設置し、該環状溝内にはガードリングを嵌入し、該軸台の外環を支え、該ガードリングが軸台の外環を支えることにより、ファンの長期運転により軸台が軟化変形することを防止し、こうしてモーター組は偏り或いは脱落の恐れがなくなるファンモーターの構造を提供する
【考案の効果】
【０００５】
上記のように、本考案ファン台の軸台上には中空環状溝を設置し、環状溝内にガードリングを嵌入して軸台の外環を支えることで、ファンが長期運転しても軸台が軟化変形することはなく、こうしてモーター組の偏り或いは脱落の恐れを払拭することができる。
【考案を実施するための最良の形態】
【０００６】
先ず図３に示すように、本考案コンピュータのCPU等の空冷用ファンモーターの構造は、ファン台1、ファン羽組2及びモーター組3からなる。
該ファン台1の中心には軸台11を設け、該軸台11外縁には該モーター組3を嵌設する。該軸台11内には軸心22を設けて、ファン羽組2を軸廻りに設置してファンモーター構造を構成する。
該モーター組3は、絶縁フレーム31、珪素鋼片32、回路板33、コイル34により構成する。該絶縁フレーム31間には該珪素鋼片32を環状に配置して該コイル34を巻き、該絶縁フレーム31の一端には回路板33を設置する。
該ファン羽組2は、ファン羽21、軸心22、モーター23及び棒状磁石24により構成する。該ファン羽21の中心には軸心22を備え、該ファン羽21の内側縁内にはモーター23を設置し、該モーター23内周側には棒状磁石24を設置する。該ファン台1の中心には軸台11を設置し、該軸台11内にはボールベアリング12を嵌設する。該ボールベアリング12内には軸心22を設置し、バネ13上方へと圧迫し、これにより該ファン羽組2は該ファン台1上に回転可能に設置される。該軸台11の外縁には絶縁フレーム31を嵌設し、こうして該モーター組3を固定する。
該軸台11上には中空環状溝111を形成し、該中空環状溝111内にはガードリング14を嵌入し、該軸台11の外環112を支える。
【０００７】
該軸台11上に形成した該中空環状溝111内にガードリング14を嵌入し、こうして該軸台11の外環112を支える。よって、該ファンが長期運転において該軸台11の外環112が軟化しても、該ガードリング14は該軸台11の外環112を支えるため内側に向かい湾曲変形しにくく、該モーター組3の偏り或いは脱落の恐れはない。
【図面の簡単な説明】
【０００８】
【図１】公知の放熱ファンの立体断面図である。
【図２】公知の別種の放熱ファンの断面図である。
【図３】本考案の放熱装置の断面図である。
【符号の説明】
【０００９】
1′、1  ファン台
11′、11  軸台
111  中空環状溝
112  外環
12  ボールベアリング
13  バネ
14  ガードリング
2′、2  ファン羽組
21  ファン羽
22  軸心
23  モーター
24  棒状磁石
3′、3  モーター組
31  絶縁フレーム
32  珪素鋼片
33  回路板
34  コイル
【図１】
0003128327.tif 000003
【図２】
0003128327.tif 000004
【図３】
0003128327.tif 000005